(57)【要約】【課題】腰のまわりをしっかり且つ優しく包み、姿勢を良くさせ、履く人の足腰の見た目を綺麗にさせる。【解決手段】腰の前側及び足の前側を覆う前見頃と、腰の後側、尻及び足の後側を覆う後見頃からなり、該前見頃は右前見頃と左前見頃からなり、該後見頃は右後見頃と左後見頃からなり、該右前見頃と該右後見頃は股下位置で筒状に縫製連結され、該左前見頃と該左後見頃は股下位置で筒状に縫製連結され、該右前見頃と該左前見頃は股上位置で開閉具を介して開閉可能に連結され、該前見頃と該後見頃は股上位置で筒状に縫製連結されたパンツにおいて、該前身頃と該後見頃の股上の上縁を鳩尾の高さ位置の近傍まで延長形成した。【選択図】図１
0003159344.tif 000002
【実用新案登録請求の範囲】
【請求項１】
腰の前側及び足の前側を覆う前見頃と、腰の後側、尻及び足の後側を覆う後見頃からなり、該前見頃は右前見頃と左前見頃からなり、該後見頃は右後見頃と左後見頃からなり、該右前見頃と該右後見頃は股下位置で筒状に縫製連結され、該左前見頃と該左後見頃は股下位置で筒状に縫製連結され、該右前見頃と該左前見頃は股上位置で開閉具を介して開閉可能に連結され、該前見頃と該後見頃は股上位置で筒状に縫製連結され、該前身頃と該後見頃は股上の上縁が鳩尾の高さ位置の近傍まで延長形成されていることを特徴とするパンツ。
【請求項２】
前記前身頃の股上は腹を覆う高さ位置まで延長形成され、前記後見頃の股上は該前身頃の股上と同じになっていることを特徴とする請求項１に記載のパンツ。
【請求項３】
前記前身頃及び前記後見頃の表地がデニム地又はジーンズからなることを特徴とする請求項１又は２に記載のパンツ。
【請求項４】
前記前見頃の股上位置の裏地として着物地が使用されていることを特徴とする請求項１〜３のいずれかに記載のパンツ。
【請求項５】
前記開閉具を所望の高さ位置まで開き、前記後見頃を股上の所望の高さ位置で裏返し、前記前見頃を斜めに裏返してなる請求項１〜４のいずれかに記載のパンツ。
【請求項６】
前記前見頃と前記後見頃が股上位置で伸縮性の生地を介して縫製接続されていることを特徴とする請求項１〜５のいずれかに記載のパンツ。
【考案の詳細な説明】
【技術分野】
【０００１】
本考案は、表地がデニム地又はジーンズからなるパンツ、特に、女性の腰やお腹を優しく包む女性用のパンツに関するものである。
【背景技術】
【０００２】
人は男女を問わずいつもきれいな姿勢でいたいものであるが、年を取ったり、運動不足が原因で、腰を支える筋肉の力が弱くなり、腰を伸ばすことを意識していないと、いつの間にか姿勢が悪くなっていることがある。そして、長期間に亘って悪い姿勢のままにしていると、姿勢に変な癖が付き、美しくない姿勢のままになったり、また、腰に不均一な負担がかかり、腰痛になってしまうことがある。
【０００３】
また、女性は妊娠するとお腹が膨らみ、身体が後ろに反って歩き難くなることがある。そして、身体が後ろに反ると、身体の重心が変化し、骨盤やその周辺の筋肉が不自然な状態で身体を支えなければならなくなり、腰に不均一な負担がかかり、腰痛になってしまうことがある。
【０００４】
また、女性は妊娠するとお腹が膨らみ、お腹の皮が薄くなり、お腹の中の熱が外に逃げやすくなり、お腹の内部が冷え易くなる。そして、お腹の内部が冷えることによって、胎児の発育を阻害したり、胎児の健康を害したり、妊婦自身の健康を害することがある。
【０００５】
また、女性は妊娠するとお腹が膨らみ、胎児や羊水の重みでお腹が垂れ下がり気味になり、人によっては出産後、お腹の皮が伸び切ったまま元の状態に戻らず、長期間に亘って体型が弛んだままの状態になってしまうことがある。
【０００６】
そこで、このような女性達のために、腰のまわりを支えてきれいな姿勢を保ったり、お腹が冷えないようにしたり、お腹の形状を適正に保つ補助具が望まれていた。
【０００７】
このようなニーズに応えるため、従来は、腹巻き、腹帯、ガードル等の補助具が使われていた。
【先行技術文献】
【特許文献】
【０００８】
【特許文献１】特開２００６−３２８６２５号公報
【特許文献２】特開２００２−２７５７０９号公報
【特許文献３】特開２０００−１６０４１０号公報
【考案の概要】
【考案が解決しようとする課題】
【０００９】
しかし、これらの補助具は着脱が面倒くさいし、ずり落ちる感じで、安定性に欠け、しかも巻き付けた場所だけ膨らんで、見たところも格好が悪いという問題があった。
【課題を解決するための手段】
【００１０】
本考案は、お腹を包んだり、腰を優しく且つしっかりと支えてきれいな姿勢を保たせるため、パンツの前身頃と後見頃の股上の上縁を鳩尾の高さ位置の近傍まで延長形成することを最も主要な特徴とする。
【００１１】
すなわち、本考案に係るパンツは、腰の前側及び足の前側を覆う前見頃と、腰の後側、尻及び足の後側を覆う後見頃からなり、該前見頃は右前見頃と左前見頃からなり、該後見頃は右後見頃と左後見頃からなり、該右前見頃と該右後見頃は股下位置で筒状に縫製連結され、該左前見頃と該左後見頃は股下位置で筒状に縫製連結され、該右前見頃と該左前見頃は股上位置で開閉具を介して開閉可能に連結され、該前見頃と該後見頃は股上位置で筒状に縫製連結され、該前身頃と該後見頃は股上の上縁が鳩尾の高さ位置の近傍まで延長形成されていることを特徴とする。
【００１２】
ここで、前身頃と後見頃の股上の上縁が鳩尾の高さ位置の近傍まで延長形成され、その結果、前身頃の股上は腹を覆う高さ位置まで延長形成され、前記後見頃の股上は該前身頃の股上と同じになっている。また、前記前身頃及び前記後見頃の表地はデニム地又はジーンズを使用し、前記前身頃及び前記後見頃の少なくとも股上位置の裏地として表地と違う色合いや模様の生地、例えば着物地を使用するのが好ましい。また、前記開閉具は所望の高さ位置まで開き、前記後見頃を股上の所望の高さ位置で裏返し、前記前見頃を斜めに裏返した状態で履くのが好ましい。また、本考案に係るパンツは従来の補助具の上に重ねて使用してもよい。
【考案の効果】
【００１３】
本考案のパンツは、後見頃の股上位置が半分に折り畳まれた状態で履けば、履いた人の腰が後見頃の股上部分で囲繞され、腰が広い面で優しくしっかりと押さえられ、腰が正しい状態に保たれ、履いた人の姿勢が良くなるという利点がある。
【００１４】
本考案のパンツは、後見頃の股上位置が半分に折り畳まれた状態で履けば、履いた人の腰が後見頃の股上部分で囲繞され、腰が広い面で優しくしっかりと押さえられ、腰が正しい状態に保たれ、腰痛になり難くなるという利点がある。
【００１５】
本考案のパンツは、妊婦が後見頃の股上位置を折り畳まずに履いた場合、妊婦のお腹が股上部分で包まれ、胎児や羊水の重みでお腹が垂れ下がるのが防がれ、妊婦の姿勢が良くなり、妊婦が歩き易くなるという利点がある。
【００１６】
本考案のパンツは、妊婦が後見頃の股上位置を折り畳まずに履いた場合、妊婦のお腹が股上部分で包まれ、妊婦のお腹の冷えが防止され、胎児の冷えが防止されるという利点がある。
【００１７】
本考案のパンツは、妊婦が後見頃の股上位置を折り畳まずに履いた場合、妊婦のお腹が股上部分で包まれ、胎児や羊水の重みでお腹が垂れ下がるのが防がれ、お腹の皮や筋肉の負担が減り、お腹の皮が産後に弛み難いという利点がある。
【図面の簡単な説明】
【００１８】
【図１】図１は本考案に係るパンツを正面から見た状態を示す説明図である。
【図２】図２は本考案に係るパンツを背面から見た状態を示す説明図である。
【図３】図３は股上の部分を折り返して着用した本考案に係るパンツを正面から見た状態を示す説明図である。
【図４】図４は股上の部分を折り返して着用した本考案に係るパンツを側面から見た状態を示す説明図である。
【考案を実施するための形態】
【００１９】
パンツを履く人の腰を正しい状態に保ち、お腹の冷えを防止し、お腹の皮や筋肉の負担を減らすという目的を、簡単な構成で、パンツのデザインを損なうことなく実現した。
【実施例１】
【００２０】
１０は本考案に係るジーンズパンツであり、ジーンズパンツ１０は腰の前側及び足の前側を覆う前見頃１２と、腰の後ろ側、尻及び足の後側を覆う後見頃１４とからなる。前見頃１２は右前見頃１６と左前見頃１８とからなり、後見頃１４は右後見頃２０と左後見頃２２とからなる。右前見頃１６と右後見頃２０は股下位置で筒状に縫製連結され、左前見頃１８と左後見頃２２は股下位置で筒状に縫製連結されている。
【００２１】
右前見頃１６と左前見頃１８は股上位置で開閉具２４を介して開閉可能に連結され、前見頃１２と後見頃１４は股上位置で筒状に縫製連結されている。ここで、開閉具２４としてはファスナーが用いられている。
【００２２】
前見頃１２と後見頃１４の腰の高さ位置にはベルトループ２６が所定間隔をおいて縫い付けられている。ベルトループ２６には腰を囲繞するようにベルト２８が挿入されている。右前見頃１２の右上部と、左前身頃１８の左上部には脇ポケット３０，３０がそれぞれ縫い付けられて、右後見頃２０の尻部位と、左後見頃２２の尻部位には尻ポケット３２，３２がそれぞれ縫い付けられている。
【００２３】
前身頃１２と後見頃１４は股上の上縁はこのジーンズパンツを履く人の鳩尾の高さ位置の近傍まで延長形成され、前見頃１２の股上部分はこのジーンズパンツを履く人のお腹を覆うようになっている。また、前身頃１２及び後見頃１４はデニム地又はジーンズが使用され、前身頃１２及び後見頃１４の少なくとも股上位置の裏地として、表地と違う色合いや模様の生地、例えば着物地が用いられている。
【００２４】
このジーンズパンツ１０を後見頃１４の股上部分を半分に折り畳んだ状態で履けば、このジーンズパンツを履く人の腰が後見頃１４の股上部分で囲繞され、腰が広い面で優しくしっかりと押さえられ、腰が正しい状態に保たれ、腰痛になり難くなる。
【００２５】
このジーンズパンツ１０を股上部分を折り畳まない状態で妊婦が履けば、妊婦のお腹が股上部分で包まれ、お腹の冷えが防止され、胎児の健康が守られ、妊婦の健康が守られる。このような用途に使用する場合は、お腹及び腰回りがある程度拡張できるように、前見頃１２と後見頃１４の股上部分（トップからベルトまで）を伸縮性のある生地（ジャージのような生地で、トップの巾１０ｃｍ程度で、下方に向かって細くなっているもの）を介して縫製接続しておくのが好ましい。
【００２６】
このジーンズパンツ１０を股上部分を折り畳まない状態で妊婦が履けば、妊婦のお腹が股上部分で包まれ、胎児や羊水の重みでお腹が垂れ下がるのが防がれ、お腹の皮や筋肉の負担が減り、お腹の皮が産後に弛み難くなる。
【符号の説明】
【００２７】
１０  ジーンズパンツ
１２  前見頃
１４  後見頃
１６  右前見頃
１８  左前見頃
２０  右後見頃
２２  左後見頃
２４  開閉具
２６  ベルトループ
２８  ベルト
３０  脇ポケット
３２  尻ポケット
【図１】
0003159344.tif 000003
【図２】
0003159344.tif 000004
【図３】
0003159344.tif 000005
【図４】
0003159344.tif 000006
【手続補正書】
【提出日】平成22年3月8日(2010.3.8)
【手続補正１】
【補正対象書類名】明細書
【補正対象項目名】全文
【補正方法】変更
【補正の内容】
【考案の詳細な説明】
【技術分野】
【０００１】
本考案は、表地がデニム地又はジーンズからなるパンツ、特に、女性の腰やお腹を優しく包む女性用のパンツに関するものである。
【背景技術】
【０００２】
人は男女を問わずいつもきれいな姿勢でいたいものであるが、年を取ったり、運動不足が原因で、腰を支える筋肉の力が弱くなり、腰を伸ばすことを意識していないと、いつの間にか姿勢が悪くなっていることがある。そして、長期間に亘って悪い姿勢のままにしていると、姿勢に変な癖が付き、美しくない姿勢のままになったり、また、腰に不均一な負担がかかり、腰痛になってしまうことがある。
【０００３】
また、女性は妊娠するとお腹が膨らみ、身体が後ろに反って歩き難くなることがある。そして、身体が後ろに反ると、身体の重心が変化し、骨盤やその周辺の筋肉が不自然な状態で身体を支えなければならなくなり、腰に不均一な負担がかかり、腰痛になってしまうことがある。
【０００４】
また、女性は妊娠するとお腹が膨らみ、お腹の皮が薄くなり、お腹の中の熱が外に逃げやすくなり、お腹の内部が冷え易くなる。そして、お腹の内部が冷えることによって、胎児の発育を阻害したり、胎児の健康を害したり、妊婦自身の健康を害することがある。
【０００５】
また、女性は妊娠するとお腹が膨らみ、胎児や羊水の重みでお腹が垂れ下がり気味になり、人によっては出産後、お腹の皮が伸び切ったまま元の状態に戻らず、長期間に亘って体型が弛んだままの状態になってしまうことがある。
【０００６】
そこで、このような女性達のために、腰のまわりを支えてきれいな姿勢を保ったり、お腹が冷えないようにしたり、お腹の形状を適正に保つ補助具が望まれていた。
【０００７】
このようなニーズに応えるため、従来は、腹巻き、腹帯、ガードル等の補助具が使われていた。
【先行技術文献】
【特許文献】
【０００８】
【特許文献１】特開２００６−３２８６２５号公報
【特許文献２】特開２００２−２７５７０９号公報
【特許文献３】特開２０００−１６０４１０号公報
【考案の概要】
【考案が解決しようとする課題】
【０００９】
しかし、これらの補助具は着脱が面倒くさいし、ずり落ちる感じで、安定性に欠け、しかも巻き付けた場所だけ膨らんで、見たところも格好が悪いという問題があった。
【課題を解決するための手段】
【００１０】
本考案は、お腹を包んだり、腰を優しく且つしっかりと支えてきれいな姿勢を保たせるため、パンツの前身頃と後身頃の股上の上縁を鳩尾の高さ位置の近傍まで延長形成することを最も主要な特徴とする。
【００１１】
すなわち、本考案に係るパンツは、腰の前側及び足の前側を覆う前身頃と、腰の後側、尻及び足の後側を覆う後身頃からなり、該前身頃は右前身頃と左前身頃からなり、該後身頃は右後身頃と左後身頃からなり、該右前身頃と該右後身頃は股下位置で筒状に縫製連結され、該左前身頃と該左後身頃は股下位置で筒状に縫製連結され、該右前身頃と該左前身頃は股上位置で開閉具を介して開閉可能に連結され、該前身頃と該後身頃は股上位置で筒状に縫製連結され、該前身頃と該後身頃は股上の上縁が鳩尾の高さ位置の近傍まで延長形成されていることを特徴とする。
【００１２】
ここで、前身頃と後身頃の股上の上縁が鳩尾の高さ位置の近傍まで延長形成され、その結果、前身頃の股上は腹を覆う高さ位置まで延長形成され、前記後身頃の股上は該前身頃の股上と同じになっている。また、前記前身頃及び前記後身頃の表地はデニム地又はジーンズを使用し、前記前身頃及び前記後身頃の少なくとも股上位置の裏地として表地と違う色合いや模様の生地、例えば着物地を使用するのが好ましい。また、前記開閉具は所望の高さ位置まで開き、前記後身頃を股上の所望の高さ位置で裏返し、前記前身頃を斜めに裏返した状態で履くのが好ましい。また、本考案に係るパンツは従来の補助具の上に重ねて使用してもよい。
【考案の効果】
【００１３】
本考案のパンツは、後身頃の股上位置が半分に折り畳まれた状態で履けば、履いた人の腰が後身頃の股上部分で囲繞され、腰が広い面で優しくしっかりと押さえられ、腰が正しい状態に保たれ、履いた人の姿勢が良くなるという利点がある。
【００１４】
本考案のパンツは、後身頃の股上位置が半分に折り畳まれた状態で履けば、履いた人の腰が後身頃の股上部分で囲繞され、腰が広い面で優しくしっかりと押さえられ、腰が正しい状態に保たれ、腰痛になり難くなるという利点がある。
【００１５】
本考案のパンツは、妊婦が後身頃の股上位置を折り畳まずに履いた場合、妊婦のお腹が股上部分で包まれ、胎児や羊水の重みでお腹が垂れ下がるのが防がれ、妊婦の姿勢が良くなり、妊婦が歩き易くなるという利点がある。
【００１６】
本考案のパンツは、妊婦が後身頃の股上位置を折り畳まずに履いた場合、妊婦のお腹が股上部分で包まれ、妊婦のお腹の冷えが防止され、胎児の冷えが防止されるという利点がある。
【００１７】
本考案のパンツは、妊婦が後身頃の股上位置を折り畳まずに履いた場合、妊婦のお腹が股上部分で包まれ、胎児や羊水の重みでお腹が垂れ下がるのが防がれ、お腹の皮や筋肉の負担が減り、お腹の皮が産後に弛み難いという利点がある。
【図面の簡単な説明】
【００１８】
【図１】図１は本考案に係るパンツを正面から見た状態を示す説明図である。
【図２】図２は本考案に係るパンツを背面から見た状態を示す説明図である。
【図３】図３は股上の部分を折り返して着用した本考案に係るパンツを正面から見た状態を示す説明図である。
【図４】図４は股上の部分を折り返して着用した本考案に係るパンツを側面から見た状態を示す説明図である。
【考案を実施するための形態】
【００１９】
パンツを履く人の腰を正しい状態に保ち、お腹の冷えを防止し、お腹の皮や筋肉の負担を減らすという目的を、簡単な構成で、パンツのデザインを損なうことなく実現した。
【実施例１】
【００２０】
１０は本考案に係るジーンズパンツであり、ジーンズパンツ１０は腰の前側及び足の前側を覆う前身頃１２と、腰の後ろ側、尻及び足の後側を覆う後身頃１４とからなる。前身頃１２は右前身頃１６と左前身頃１８とからなり、後身頃１４は右後身頃２０と左後身頃２２とからなる。右前身頃１６と右後身頃２０は股下位置で筒状に縫製連結され、左前身頃１８と左後身頃２２は股下位置で筒状に縫製連結されている。
【００２１】
右前身頃１６と左前身頃１８は股上位置で開閉具２４を介して開閉可能に連結され、前身頃１２と後身頃１４は股上位置で筒状に縫製連結されている。ここで、開閉具２４としてはファスナーが用いられている。
【００２２】
前身頃１２と後身頃１４の腰の高さ位置にはベルトループ２６が所定間隔をおいて縫い付けられている。ベルトループ２６には腰を囲繞するようにベルト２８が挿入されている。右前身頃１２の右上部と、左前身頃１８の左上部には脇ポケット３０，３０がそれぞれ縫い付けられて、右後身頃２０の尻部位と、左後身頃２２の尻部位には尻ポケット３２，３２がそれぞれ縫い付けられている。
【００２３】
前身頃１２と後身頃１４は股上の上縁はこのジーンズパンツを履く人の鳩尾の高さ位置の近傍まで延長形成され、前身頃１２の股上部分はこのジーンズパンツを履く人のお腹を覆うようになっている。また、前身頃１２及び後身頃１４はデニム地又はジーンズが使用され、前身頃１２及び後身頃１４の少なくとも股上位置の裏地として、表地と違う色合いや模様の生地、例えば着物地が用いられている。
【００２４】
このジーンズパンツ１０を後身頃１４の股上部分を半分に折り畳んだ状態で履けば、このジーンズパンツを履く人の腰が後身頃１４の股上部分で囲繞され、腰が広い面で優しくしっかりと押さえられ、腰が正しい状態に保たれ、腰痛になり難くなる。
【００２５】
このジーンズパンツ１０を股上部分を折り畳まない状態で妊婦が履けば、妊婦のお腹が股上部分で包まれ、お腹の冷えが防止され、胎児の健康が守られ、妊婦の健康が守られる。このような用途に使用する場合は、お腹及び腰回りがある程度拡張できるように、前身頃１２と後身頃１４の股上部分（トップからベルトまで）を伸縮性のある生地（ジャージのような生地で、トップの巾１０ｃｍ程度で、下方に向かって細くなっているもの）を介して縫製接続しておくのが好ましい。
【００２６】
このジーンズパンツ１０を股上部分を折り畳まない状態で妊婦が履けば、妊婦のお腹が股上部分で包まれ、胎児や羊水の重みでお腹が垂れ下がるのが防がれ、お腹の皮や筋肉の負担が減り、お腹の皮が産後に弛み難くなる。
【符号の説明】
【００２７】
１０  ジーンズパンツ
１２  前身頃
１４  後身頃
１６  右前身頃
１８  左前身頃
２０  右後身頃
２２  左後身頃
２４  開閉具
２６  ベルトループ
２８  ベルト
３０  脇ポケット
３２  尻ポケット
【手続補正２】
【補正対象書類名】実用新案登録請求の範囲
【補正対象項目名】全文
【補正方法】変更
【補正の内容】
【実用新案登録請求の範囲】
【請求項１】
腰の前側及び足の前側を覆う前身頃と、腰の後側、尻及び足の後側を覆う後身頃からなり、該前身頃は右前身頃と左前身頃からなり、該後身頃は右後身頃と左後身頃からなり、該右前身頃と該右後身頃は股下位置で筒状に縫製連結され、該左前身頃と該左後身頃は股下位置で筒状に縫製連結され、該右前身頃と該左前身頃は股上位置で開閉具を介して開閉可能に連結され、該前身頃と該後身頃は股上位置で筒状に縫製連結され、該前身頃と該後身頃は股上の上縁が鳩尾の高さ位置の近傍まで延長形成されていることを特徴とするパンツ。
【請求項２】
前記前身頃の股上は腹を覆う高さ位置まで延長形成され、前記後身頃の股上は該前身頃の股上と同じになっていることを特徴とする請求項１に記載のパンツ。
【請求項３】
前記前身頃及び前記後身頃の表地がデニム地又はジーンズからなることを特徴とする請求項１又は２に記載のパンツ。
【請求項４】
前記前身頃の股上位置の裏地として着物地が使用されていることを特徴とする請求項１〜３のいずれかに記載のパンツ。
【請求項５】
前記開閉具を所望の高さ位置まで開き、前記後身頃を股上の所望の高さ位置で裏返し、前記前身頃を斜めに裏返してなる請求項１〜４のいずれかに記載のパンツ。
【請求項６】
前記前身頃と前記後身頃が股上位置で伸縮性の生地を介して縫製接続されていることを特徴とする請求項１〜５のいずれかに記載のパンツ。